(57)【要約】【課題】外曲りの取付け位置の位置決めがガタツキなしに、正確にできる位置決め構造を提供する。【解決手段】外曲り１の屋内側角部８の上端部に、平面視９０°の角度で切欠いた切欠き１１を形成した突出片１２を設け、前記切欠き１１を建物の出隅部に当接させることにより、外曲りの取付け位置を決めるようにしていることを特徴とする外曲りの位置決め構造。また、外曲り支持具の基部に、平面視の先端角度を９０°に形成している突起片を設けておき、前記突起片に、外曲りの屋内側角部の内面を当接させて、外曲り支持具に外曲りを取付けることにより、外曲りの取付け位置を決めるようにしていることを特徴とする外曲りの位置決め構造。【選択図】        図１
2004169498.tif 000002
【特許請求の範囲】
【請求項１】
接続される軒樋と同じ側断面形状をしていて、平面視略Ｌ字状である外曲りの屋内側角部の上端部に、平面視９０°の角度で切欠いた切欠きを形成した突出片を設け、前記切欠きを建物の出隅部に当接させることにより、外曲りの取付け位置を決めるようにしていることを特徴とする外曲りの位置決め構造。
【請求項２】
外曲りが、外曲りの屋外側角部と屋内側角部とを結ぶ線で分割される２部材を、内押えを用いて接続することにより形成されていて、この内押えに前記突出片を一体に形成していることを特徴とする請求項１記載の外曲りの位置決め構造。
【請求項３】
外曲りを建物の出隅部に吊り支持する外曲り支持具の基部に、平面視９０度の角度を有するように二股に分かれた取付部と、外曲り支持具で外曲りを吊り支持した際に出隅方向に突出し、平面視の先端角度を９０°に形成している突起片を設けておき、
建物の出隅部に前記取り付け部を固定して取付けた前記外曲り支持具の前記突起片に、接続される軒樋と同じ側断面形状をしていて、平面視略Ｌ字状である外曲りの屋内側角部の内面を当接させて、外曲り支持具に外曲りを取付けることにより、外曲りの取付け位置を決めるようにしていることを特徴とする外曲りの位置決め構造。
【発明の詳細な説明】
【０００１】
【発明の属する技術分野】
本発明は、建物の出隅部に配置する外曲りの取付け位置を決める外曲りの位置決め構造に関するものである。
【０００２】
【従来の技術】従来より、建物の外壁面には軒樋を配置するのが一般的である。寄棟等のように、建物に出隅部３がある場合、図６に示すように、出隅部３に外曲り１を配置し、この外曲り１と軒樋２とを接続した状態に取付ける。外曲り１と軒樋２とを接続した部分の外観を向上させるべく、外曲り１と軒樋２との接続部分が面一となるよう外曲り１の側断面形状を、接続される軒樋２と同じ側断面形状としているものが実用化されている。この外曲り１では、外曲り１の端部と軒樋２の端部とを突き合せた状態で内継手によって取付けるため、隣接する曲り間の距離を予め計測し、軒樋２の長さを前記距離に合せて切断した後で、長さを合せた軒樋２を配置することが必要であった。なお、曲りとしては出隅部３に配置する外曲りと、入隅部に配置する内曲りとがある。
【０００３】
外曲り１を配置し、隣接する曲り間の距離を正確に計測するためには、外曲り１の取付け位置の位置決めを適切に行うことが必要である。従来の外曲り１の取付け位置の位置決めをする外曲りの位置決め構造としては、図６に示すように、外曲り１の両端部を別々の軒樋吊具４で吊り支持する構造があるが、位置決めの正確性が不十分であった。
【０００４】
そこで、図７に示すように、出隅部３に固定していて、出隅方向（図８の矢印方向）に突き出ている外曲り支持具５で、外曲り１を支持する構造が提案されている。例えば、図８（イ）、（ロ）に示すように、外曲り１の屋外側角部６の上端部に形成した屋外側係止部７と、外曲り１の屋内側角部８の上端部に形成した屋内側係止部９とを、外曲り支持具５で支持することで外曲り１の取付け位置を決める構造が提案されている（特許文献１参照）。このようにして、外曲りの取付け位置を決める構造の場合でも、外曲り１の屋内側角部８の上端部に形成した屋内側係止部９と、外曲り支持具５の係止片１０との係止状態には少しガタツキが生じるため、平面視で外曲り１の取付け状態に若干のガタツキが生じるものであった。そのため、外曲り１の取付け位置の位置決めをする外曲りの位置決め構造として、さらにガタツキなしに、正確に位置決めできる構造が求められている。
【０００５】
【特許文献１】
特開平１１−３２４２５４号公報
【０００６】
【発明が解決しようとする課題】
本発明は、上記の事情に鑑みて成されたもので、その目的とする所は、外曲りを出隅部に取付ける際の、外曲りの取付け位置の位置決めをする外曲りの位置決め構造であって、外曲りの取付け位置の位置決めがガタツキなしに、正確にできる位置決め構造を提供することにある。
【０００７】
【課題を解決するための手段】
請求項１に係る発明の外曲りの位置決め構造は、接続される軒樋と同じ側断面形状をしていて、平面視略Ｌ字状である外曲りの屋内側角部の上端部に、平面視９０°の角度で切欠いた切欠きを形成した突出片を設け、前記切欠きを建物の出隅部に当接させることにより、外曲りの取付け位置を決めるようにしていることを特徴とする。
【０００８】
請求項２に係る発明の外曲りの位置決め構造は、請求項１記載の外曲りの位置決め構造において、外曲りが、外曲りの屋外側角部と屋内側角部とを結ぶ線で分割される２部材を、内押えを用いて接続することにより形成されていて、この内押えに前記突出片を一体に形成していることを特徴とする。
【０００９】
請求項３に係る発明の外曲りの位置決め構造は、外曲りを建物の出隅部に吊り支持する外曲り支持具の基部に、平面視９０度の角度を有するように二股に分かれた取付部と、外曲り支持具で外曲りを吊り支持した際に出隅方向に突出し、平面視の先端角度を９０°に形成している突起片とを設けておき、
建物の出隅部に前記取り付け部を固定して取付けた前記外曲り支持具の前記突起片に、接続される軒樋と同じ側断面形状をしていて、平面視略Ｌ字状である外曲りの屋内側角部の内面を当接させて、外曲り支持具に外曲りを取付けることにより、外曲りの取付け位置を決めるようにしていることを特徴とする。
【００１０】
【発明の実施の形態】
まず、本発明の第１実施形態を図面に基づいて説明する。図１は第１実施形態の外曲りの位置決め構造で使用する外曲り１を示し、（ａ）は平面図、（ｂ）は側面図である。そして、図２は第１実施形態の外曲りの位置決め構造を説明する平面図である。
【００１１】
第１実施形態の外曲りの位置決め構造に用いる外曲り１は、図１（ａ）、（ｂ）に示すように、接続される軒樋と同じ側断面形状をしていて、平面視略Ｌ字状である外曲り１の屋内側角部８の上端部に、平面視９０°の角度で切欠いた切欠き１１を形成した突出片１２を設けている。この実施形態では、外曲り１は、外曲り１の屋外側角部６と屋内側角部８を結ぶ線で分割される２部材１３Ａ、１３Ｂを、内押え１４を用いて接続することにより形成されていて、この内押え１４に突出片１２を一体に形成している。なお、内押え１４の裏面には接着剤を付着させておき、接着剤の働きで、２部材１３Ａ、１３Ｂが、内押え１４によって固定されるようにしている。
【００１２】
第１実施形態の外曲りの位置決め構造では、図２に示すように、建物の出隅部３に突出片１２の切欠き１１を当接させることにより、外曲り１の取付け位置を決めるようにしている。なお、外曲り１を建物の出隅部３に固定する方法としては、例えば図７に示すように、外曲り１の両端部を別々の軒樋吊具４で吊り支持する従来の方法で固定すればよい。
【００１３】
この第１実施形態の外曲りの位置決め構造では、外曲り１の屋内側角部８の上端部に平面視９０°の角度で切欠いた切欠き１１を形成した突出片１２を設けておき、建物の出隅部３に、この突出片１２の切欠き１１を当接させることにより、外曲り１の取付け位置を決めるようにしているので、外曲りの取付け位置の位置決めがガタツキなしに、正確にできるようになる。
【００１４】
第１実施形態の外曲りの位置決め構造では、突出片１２は、内押え１４に一体に形成しているので、外曲りを形成する部材１３Ａ、１３Ｂとして、軒樋を切断したものをそのまま採用できる利点がある。なお、突出片１２を、一体に形成している外曲り１の屋内側角部８の上端部に、突出片１２を形成するようにしても本発明の効果を奏することができる。
【００１５】
また、突出片１２が、軒樋が熱伸縮をした時に割れ易いように、材質や厚みを選定しておくと、取り付け後に軒樋が熱伸縮をしたときには、外曲り１が割れる前に突出片１２のみが割れるため、軒樋の熱伸縮による、外曲り１が割れることを防止できるので好ましい。
【００１６】
次に、本発明の第２実施形態を図面に基づいて説明する。図３は第２実施形態の外曲りの位置決め構造で使用する外曲り支持具５を示し、（ａ）は平面図、（ｂ）は側面図である。そして、図４は第２実施形態の外曲りの位置決め構造を説明する平面図であり、図５は第２実施形態の外曲りの位置決め構造を説明する側面図である。なお、図４では建物の出隅部３は断面で示し、図５では、建物の出隅部は省略している。
【００１７】
第２実施形態の外曲りの位置決め構造で使用する外曲り支持具５は、図３（ａ）、（ｂ）に示すように、外曲り支持具５の基部１７に、建物の出隅部に固定して取付けられる取付部１５を形成している。取付け部１５は、平面視９０度の角度を有するように二股に分かれていて、建物の出隅部に当接させることにより、外曲り支持具５の取付け方向が固定できるようになっている。そして、外曲り支持具５の基部１７の下部に、外曲り支持具５で外曲り１を吊り支持した際に出隅方向に突出し、平面視の先端角度を９０°に形成している突起片１６を設けている。なお、図３（ａ）では突起片１６を破線で示している。ここでいう出隅方向とは、図７で矢印で示す方向であって、建物の出隅部３の両壁面に対してほぼ１３５°の角度を成すように突出する方向を表している。突起片１６の大きさは、外曲り１を外曲り支持具５に取付けた際に、外曲り１の屋内側角部８の内面が突起片１６に当接できる大きさに形成する。
【００１８】
また、図３に示す外曲り支持具５には、基部１７から出隅方向に突出する延設部２５を形成していて、延設部２５に外曲り１を吊り支持する外側支持部１８と、内側支持部２０とを形成している。外側支持部１８は、外曲り１を支持するための二つの外側係止片１９を形成している。内側支持部２０には、図３（ｂ）で示すように、平坦な載置部２１を形成している。
【００１９】
第２実施形態の外曲りの位置決め構造では、図４に示すように、建物の出隅部３に、二股に分かれている取付け部１５を固定する。そして、外曲り支持具５の外側係止片１９で、外曲り１の外側片２２を係止する。そして、図５に示すように、内側支持部２０の載置部２１に、外曲り１の内側片２３の内耳リブ２４を載置すると共に、外曲り支持具５の基部１７に形成している突起片１６に、外曲り１の屋内側角部８の内面を当接させて、外曲り１の位置決めを行う。
【００２０】
この第２実施形態の外曲りの位置決め構造では、外曲り支持具５の基部１７に、外曲り支持具５で外曲り１を吊り支持した際に出隅方向に突出し、平面視の先端角度を９０°に形成している突起片１６を設けていて、突起片１６に、外曲り１の屋内側角部８の内面を当接させて、外曲り１の位置を決める。そのため、外曲りの取付け位置の位置決めがガタツキなしに、正確にできるようになる。
【００２１】
また、突起片１６が、軒樋が熱伸縮をした時に割れ易いように、材質や厚みを選定しておくと、取り付け後に軒樋が熱伸縮をしたときには、外曲り１が割れる前に突起片１６が割れるため、軒樋の熱伸縮による、外曲り１が割れることを防止できるので好ましい。
【００２２】
【発明の効果】
請求項１に係る発明の外曲りの位置決め構造では、接続される軒樋と同じ側断面形状をしていて、平面視略Ｌ字状である外曲りの屋内側角部の上端部に、平面視９０°の角度で切欠いた切欠きを形成した突出片を設け、前記切欠きを建物の出隅部に当接させることにより、外曲りの取付け位置を決めるようにしているので、請求項１に係る発明の外曲りの位置決め構造によれば、外曲りの取付け位置の位置決めがガタツキなしに、正確にできるようになる。
【００２３】
請求項２に係る発明の外曲りの位置決め構造は、請求項１記載の外曲りの位置決め構造において、外曲りが、外曲りの屋外側角部と屋内側角部とを結ぶ線で分割される２部材を、内押えを用いて接続することにより形成されていて、この内押えに前記突出片を一体に形成しているので、請求項２に係る発明の外曲りの位置決め構造によれば、請求項１の発明の効果に加えて、外曲りを形成する部材として、軒樋を切断したものをそのまま採用できる利点がある。
【００２４】
請求項３に係る発明の外曲りの位置決め構造では、外曲りを建物の出隅部に吊り支持する外曲り支持具の基部に、平面視９０度の角度を有するように二股に分かれた取付部と、外曲り支持具で外曲りを吊り支持した際に出隅方向に突出し、平面視の先端角度を９０°に形成している突起片とを設けておき、建物の出隅部に前記取り付け部を固定して取付けた前記外曲り支持具の前記突起片に、接続される軒樋と同じ側断面形状をしていて、平面視略Ｌ字状である外曲りの屋内側角部の内面を当接させて、外曲り支持具に外曲りを取付けることにより、外曲りの取付け位置を決めるようにしているので、請求項３に係る発明の外曲りの位置決め構造によれば、外曲りの取付け位置の位置決めがガタツキなしに、正確にできるようになる。
【図面の簡単な説明】
【図１】本発明の第１実施形態の外曲りの位置決め構造で使用する外曲り１を示し、（ａ）は平面図、（ｂ）は側面図である。
【図２】本発明の第１実施形態の外曲りの位置決め構造を説明する平面図である。
【図３】本発明の第２実施形態の外曲りの位置決め構造で使用する外曲り支持具５を示し、（ａ）は平面図、（ｂ）は側面図である。
【図４】本発明の第２実施形態の外曲りの位置決め構造を説明する平面図である。
【図５】本発明の第２実施形態の外曲りの位置決め構造を説明する側面図である。
【図６】従来の外曲りの位置決め構造の一例を示す平面図である。
【図７】従来の外曲りの位置決め構造の他の例を示す平面図である。
【図８】特許文献１に示されている外曲りの位置決め構造を説明する図であり、（イ）は斜視図、（ロ）は側面図である。
【符号の説明】
１  外曲り
２  軒樋
３  出隅部
４  軒樋吊具
５  外曲り支持具
６  屋外側角部
７  屋外側係止部７
８  屋内側角部
９  屋内側係止部
１０  係止片
１１  切欠き
１２  突出片
１３Ａ、１３Ｂ  部材
１４  内押え
１５  取付部
１６  突起片
１７  基部
１８  外側支持部
１９  外側係止片
２０  内側支持部
２１  載置部
２２  外側片
２３  内側片
２４  内耳リブ
２５  延設部
【図１】
2004169498.tif 000003
【図２】
2004169498.tif 000004
【図３】
2004169498.tif 000005
【図４】
2004169498.tif 000006
【図５】
2004169498.tif 000007
【図６】
2004169498.tif 000008
【図７】
2004169498.tif 000009
【図８】
2004169498.tif 000010